(57)【要約】【課題】可撓性係止腕による端子の保持力をより一段と向上させることができるコネクタを提供する。【解決手段】コネクタハウジング１１に端子収容室１４を設け、端子収容室１４に後側から端子収容室１４内に挿入されて収容された端子３２の係合部３２ｂを係止部１８で係止する可撓性係止腕１７を突設したコネクタ１０に、端子収容室１４ごとに１本の可撓性係止腕１７を配設し、可撓性係止腕１７の前端をコネクタハウジング１１の前壁１２側に支持すると共に、可撓性係止腕１７の後端をコネクタハウジングの周壁１３側に支持し、前端と後端の間に可撓部１７ｃを設け、可撓部１７ｃに係止部１８を設けて可撓部１７ｃを端子３２の係合部３２ｂ側に撓み変形自在にして係止部１８で端子収容室１４内に収容された端子３２の係合部３２ｂを係止自在にする。【選択図】　　　図２
2004055466.tif 000002
【特許請求の範囲】
【請求項１】
コネクタハウジングに端子収容室を設け、この端子収容室に後側から該端子収容室内に挿入されて収容された端子の係合部を係止部で係止する可撓性係止腕を突設したコネクタにおいて、
前記端子収容室ごとに１本の可撓性係止腕を配設し、
この可撓性係止腕の前端を前記コネクタハウジングの前壁側に支持すると共に、該可撓性係止腕の後端を前記コネクタハウジングの周壁側に支持し、
該前端と該後端の間に可撓部を設け、この可撓部に前記係止部を設けて可撓部を前記端子の係合部側に撓み変形自在にして該係止部で前記端子収容室内に収容された前記端子の係合部を係止自在にしたことを特徴とするコネクタ。
【請求項２】
請求項１に記載のコネクタであって、
前記可撓性係止腕の前端を前記端子収容室の対向する側壁部の一方の側壁部前端に支持するとともに、該可撓性係止腕の後端を該一方の側壁部後方に支持し、この可撓性係止腕に前記係止部を他方の側壁部に向かって突設したことを特徴とするコネクタ。
【請求項３】
請求項１、または請求項２に記載のコネクタであって、
前記係止部後端が前記コネクタハウジングの周壁側に支持されていることを特徴とするコネクタ。
【請求項４】
請求項１、または請求項２に記載のコネクタであって、
前記端子収容室の上部に前記端子の端子本体を収容する大きさの開口部を形成したことを特徴とするコネクタ。
【請求項５】
請求項４に記載のコネクタであって、
前記開口部を平面矩形に形成したことを特徴とするコネクタ。
【請求項６】
請求項１、または請求項２に記載のコネクタであって、
前記端子収容室を覆う天井部を前記可撓性係止腕と前記係止部とに一体形成し、これら可撓性係止腕と天井部との間に前記端子の端子本体の上部側を収容自在にしたことを特徴とするコネクタ。
【請求項７】
請求項６に記載のコネクタであって、
前記端子収容室の一部を覆い、且つ前記端子本体の上部に設けられた突起部を収容する前記天井部が設けられたことを特徴とするコネクタ。
【請求項８】
請求項１〜請求項７のいずれか１項に記載のコネクタであって、
前記可撓性係止腕の周辺部分に係合解除部と、
前記コネクタハウジングの前壁側に該係合解除部に通じる前側開口部とを備え、
この前側開口部から係合解除部に解除用治具の解除片を挿入することで、前記係止部と前記係合部との係合が解除されることを特徴とするコネクタ。
【発明の詳細な説明】
【０００１】
【発明の属する技術分野】
本発明は、コネクタハウジングの端子収容室に収容された端子を可撓性係止腕（所謂ランス）で係止して成る端子の係止構造を有したコネクタに関する。
【０００２】
【従来の技術】
この種の端子の係止構造を有したコネクタとして、図８、図９に示す特開昭６１−２１８０８１号公報に開示されたものがある。図８に示すように、このコネクタ１のコネクタハウジング２の中央より後側にかけて端子収容室３を形成してある。この端子収容室３内にはコネクタハウジング２の上壁部２ａから斜め前方に延びる可撓性係止腕５を片持梁状に突設してある。
【０００３】
そして、端子収容室３の後側の端子挿入用開口部４から該端子収容室３内に電線７を接続した端子８を挿入して収容すると、可撓性係止腕５の凹状の自由端６で端子８の段部９を係止し、端子８の後方への抜けを防止することができるようになっている。
【０００４】
【発明が解決しようとする課題】
しかしながら、前記従来のコネクタ１では、可撓性係止腕５がその固定端側を上壁部２ａに一体的に設けた片持ち支持構造のため、図９に示すように、可撓性係止腕５が座屈し易く、端子８の保持力が弱かった。特に、電線７を強く引っ張ると、端子８が可撓性係止腕５から外れて端子抜けが発生するおそれがあった。
【０００５】
そこで、本発明は、前記した課題を解決すべくなされたものであり、可撓性係止腕による端子の保持力をより一段と向上させることができるコネクタを提供することを目的とする。
【０００６】
【課題を解決するための手段】
請求項１記載の発明は、コネクタハウジングに端子収容室を設け、この端子収容室に後側から該端子収容室内に挿入されて収容された端子の係合部を係止部で係止する可撓性係止腕を突設したコネクタにおいて、前記端子収容室ごとに１本の可撓性係止腕を配設し、この可撓性係止腕の前端を前記コネクタハウジングの前壁側に支持すると共に、該可撓性係止腕の後端を前記コネクタハウジングの周壁側に支持し、該前端と該後端の間に可撓部を設け、この可撓部に前記係止部を設けて可撓部を前記端子の係合部側に撓み変形自在にして該係止部で前記端子収容室内に収容された前記端子の係合部を係止自在にしたことを特徴とする。
【０００７】
このような構成により、可撓性係止腕に突設された係止部で端子の係合部を係止した際に、可撓性係止腕が座屈しにくくなって、係止部による端子の保持力が向上する。
【０００８】
また、１本の可撓性係止腕で係止部による端子の保持力を十分に備えているため、コネクタの端子間ピッチを縮めることができ、コネクタを小型化することができる。
【０００９】
請求項２記載の発明は、請求項１に記載のコネクタであって、前記可撓性係止腕の前端を前記端子収容室の対向する側壁部の一方の側壁部前端に支持するとともに、該可撓性係止腕の後端を該一方の側壁部後方に支持し、この可撓性係止腕に前記係止部を他方の側壁部に向かって突設したことを特徴とする。
【００１０】
このような構成により、比較的単純な構造であることに加え、可撓性係止腕に突設された係止部で端子の係合部を係止した際に、可撓性係止腕がより一層座屈しにくくなって、係止部による端子の保持力が向上する。
【００１１】
請求項３記載の発明は、請求項１、または請求項２に記載のコネクタであって、前記係止部後端が前記コネクタハウジングの周壁側に支持されていることを特徴とする。
【００１２】
このような構成により、可撓性係止腕に突設された係止部で端子の係合部を係止した際に、可撓性係止腕がより一層座屈しにくくなって、係止部による端子の保持力が向上する。
【００１３】
請求項４記載の発明は、請求項１、または請求項２に記載のコネクタであって、前記係止部の前方に前記端子の端子本体を収容する大きさの開口部を形成したことを特徴とする。
【００１４】
このような構成により、係止部で端子の係合部を係止した際に、開口部内に端子の端子本体を保持して端子収容室内に対する端子のガタ付きが簡単かつ確実に抑えられ、端子と相手側端子との接続信頼性がより一段と向上する。
【００１５】
請求項５記載の発明は、請求項４に記載のコネクタであって、前記開口部を平面矩形に形成したことを特徴とする。
【００１６】
このような構成により、係止部で端子の係合部を係止した際に、開口部内に端子の端子本体を確実に保持して端子収容室内に対する端子のガタ付きがより簡単かつ確実に抑えられ、端子と相手側端子との接続信頼性がより一段と向上する。
【００１７】
請求項６記載の発明は、請求項１、または請求項２に記載のコネクタであって、前記端子収容室を覆う天井部を前記可撓性係止腕と前記係止部とに一体形成し、これら可撓性係止腕と天井部との間に前記端子の端子本体の上部側を収容自在にしたことを特徴とする。
【００１８】
このような構成により、係止部で端子の係合部を係止した際に、可撓部と天井部との間に端子の端子本体の上部側を保持して端子収容室内に対する端子のガタ付きが簡単かつ確実に抑えられ、端子と相手側端子との接続信頼性がより一段と向上する。
【００１９】
請求項７記載の発明は、請求項６に記載のコネクタであって、前記端子収容室の一部を覆い、且つ前記端子本体の上部に設けられた突起部を収容する前記天井部が設けられたことを特徴とする。
【００２０】
このような構成により、係止部で端子の係合部を係止する際に、可撓部と天井部との間に端子の端子本体の上部側を確実に保持すると共に、天井部のスリット内に端子の端子本体の上部の突起部を確実に保持して端子収容室内に対する端子のガタ付きがより簡単かつ確実に抑えられ、端子と相手側端子との接続信頼性がより一段と向上する。
【００２１】
請求項８記載の発明は、請求項１〜請求項７のいずれか１項に記載のコネクタであって、前記可撓性係止腕の周辺部分に係合解除部と、前記コネクタハウジングの前壁側に該係合解除部に通じる前側開口部とを備え、この前側開口部から係合解除部に解除用治具の解除片を挿入することで、前記係止部と前記係合部との係合が解除されることを特徴とする。
【００２２】
このような構成により、１箇所の係合解除部を操作することで、係止部と端子の係合部との係合を解除することができるので、係合を解除する作業が簡略化されるとともに、解除用治具に配設される解除片も各端子収容室につき１本で済むため、解除用治具の構造が簡素化され、製造コストを低減することができる。
【００２３】
【発明の実施の形態】
以下、本発明の実施形態を図面に基づいて説明する。
【００２４】
図１は本発明の第１の実施形態のコネクタの要部と電線端子を示す拡大斜視図、図２は電線端子をコネクタに装着した状態のコネクタの要部斜視図、図３はコネクタの様子を示す全体斜視図である。
【００２５】
図１〜図３に示されるように、コネクタ１０の合成樹脂製のコネクタハウジング１１には、前端前壁１２と周壁１３を介して上下二段及び左右に複数の端子収容室１４と加締部収容室１５がそれぞれ設けられている。この各端子収容室１４は略四角筒状に形成されていると共に、各加締部収容室１５は略円筒状に形成されている。これら両収容室１４，１５は互いに連通していて電線３０と圧着した雌型の端子３２が後側の端子挿入用開口部１６から挿入、収容されるようになっている。
【００２６】
コネクタハウジング１１の前端前壁１２の各端子収容室１４に対向する位置には、相手側コネクタ（不図示）の相手側端子を挿通させる端子挿通孔１２ａがそれぞれ形成されている。なお、各端子挿通孔１２ａは相手側端子を挿入し易くするために外向きに開いたテーパ状の角孔に形成されている。
【００２７】
コネクタハウジング１１の周壁１３は、上壁部１３ａと仕切壁部１３ｂと底壁部１３ｃ及び両側壁部１３ｄ、１３ｄ′が設けられ、これら各壁部１３ａ〜１３ｄによって各端子収容室１４及び加締部収容室１５がそれぞれ形成されている。
【００２８】
コネクタハウジング１１の各端子収容室１４に対向する前端前壁１２の前側開口部１２ｂから周壁１３の上壁部１３ａ（下段側は仕切壁部１３ｂ）の端子収容室１４と加締部収容室１５との境界部分には、各端子収容室１４の上部に平面矩形形状に形成された開口部１４ａに収容された端子３２の係合部３２ｂを係止部１８で係止する可撓性係止腕１７が前側から後側に延びるようにそれぞれ一体突出形成されている。
【００２９】
すなわち、可撓性係止腕１７は、各端子収容室１４に１本ずつ設けられ、各可撓性係止腕１７の前端１７ａは、一方の側壁部としての側壁部１３ｄの前端に位置する前端前壁１２の前側開口部１２ｂに一体形成されているとともに、後端１７ｂは、側壁部１３ｄの後方に位置する端子収容室１４と加締部収容室１５との境界部分に一体形成されている。また、可撓性係止腕１７には、後述する端子３２の係合部３２ｂを係止する係止部１８が、側壁部１３ｄと対向する他方の側壁部としての側壁部１３ｄ′に向かって突設され、さらに、係止部１８後端の上方が、コネクタハウジング１１の後方に位置する端子収容室１４と加締部収容室１５との境界部分に一体形成されている。
【００３０】
可撓性係止腕１７に一体形成された係止部１８の後端には、端子３２を端子収容室１４内に挿入し易くするために、下側が上方に向かって傾斜する下側斜面１８ａが設けられている。また、可撓性係止腕１７の係止部１８の前面が端子挿入方向Ｙと直交する係止面１８ｂとなっている。
【００３１】
そして、可撓性係止腕１７の下側には、可撓許容空間となる水平凹溝状の切欠１３ｅが形成されている。これにより、可撓性係止腕１７の可撓部１７ｃが端子挿入方向Ｙと直交する方向の端子３２の係合部３２ｂ側に自由に撓むようになっていて、係止部１８の係止面１８ｂで端子収容室１４内に収容された端子３２の係合部３２ｂが係止される。また、各端子収容室１４の両側の切欠１３ｅ、１３ｅは、端子３２の端子本体３２ａの両側の各凸部３２ｃ、３２ｃを案内している。
【００３２】
可撓性係止腕１７と係止部１８との境界部分には、係合解除部１８ｄが設けられており、この係合解除部１８ｄの前端には、解除用治具４０の解除片４１を挿入し易くするために、下側が上方に向かって傾斜する下側斜面が設けられている。また、コネクタハウジング１１の前壁側には、係合解除部１８ｄに通じる前側開口部１２ｃが設けられ、この前側開口部１２ｃから係合解除部１８ｄに解除用治具４０の解除片４１を挿入すると、解除片４１の先端が下側斜面を押し上げ、係止部１８と係合部３２ｂとの係合が解除される。
【００３３】
以上第１の実施形態のコネクタ１０によれば、電線３０を圧着した端子３２がコネクタハウジング１１の後側の端子挿入用開口部１６から加締部収容室１５を介して端子収容室１４に挿入されると、端子収容室１４内の前側より後側上方に突出した両持ち支持の可撓性係止腕１７の係止部１８の下側斜面１８ａに端子３２の端子本体３２ａの上片前縁が当たる。これにより、可撓性係止腕１７の可撓部１７ｃが上方に撓み、可撓性係止腕１７の係止部１８が端子３２の端子本体３２ａ上に乗り上げる。
【００３４】
さらに、端子３２が挿入されると、可撓性係止腕１７が元の位置に戻って係止部１８の係止面１８ｂで端子収容室１４内に収容された端子３２の端子本体３２ａの係合部３２ｂが係止される。
【００３５】
これにより、可撓性係止腕１７が座屈しにくくなって可撓性係止腕１７の係止部１８による端子３２の保持力をより一段と向上させることができる。この際、電線３０を後方に強く引っ張っても端子３２の係合部３２ｂが可撓性係止腕１７の係止部１８の係止面１８ｂに当たって係止されるため、端子３２が可撓性係止腕１７の係止部１８から外れて抜けることがない。
【００３６】
また、端子３２をコネクタハウジング１１から取外す場合には、解除用治具４０を使用して、１箇所の係合解除部１８ｄを操作することで、係止部１８と端子３２の係合部３２ｂとの係合を解除することができるので、係合を解除する作業が簡略化されるとともに、解除用治具４０に配設される解除片４１も各端子収容室につき１本で済むため、解除用治具４０の構造が簡素化され、製造コストを低減することができる。
【００３７】
図６は本発明の第２の実施形態のコネクタの要部を示す断面図で、図２中Ａ−Ａ線に相当する線に沿う断面図である。
【００３８】
この第２の実施形態のコネクタ１０′では、図６に示されるように、可撓性係止腕１７′上端に端子収容室１４を覆う天井部１７ｄ′が一体形成されている。そして、可撓性係止腕１７′と天井部１７ｄ′との間に形成される端子収容空間内に端子３２の端子本体３２ａの上部側を収容自在にしてある。なお、他の構成は前記第１の実施形態のコネクタ１０と同様であるので、同一構成部分には同一符号を付して詳細な説明を省略する。
【００３９】
以上第２の実施形態のコネクタ１０′によれば、可撓性係止腕１７′と天井部１７ｄ′との間に形成される端子収容空間内に端子３２の端子本体３２ａの上部側を収容自在にしたので、可撓性係止腕１７′の係止部１８の係止面１８ｂにより端子３２の係合部３２ｂを係止した際に、可撓性係止腕１７′と天井部１７ｄ′との間の端子収容空間内に端子３２の端子本体３２ａの上部側を完全に収容して確実に保持することができる。
【００４０】
これにより、端子収容室１４内に対する端子３２のガタ付きを簡単かつ確実に抑えることができ、端子３２と相手側端子（不図示）との接続信頼性をより一段と向上させることができる。
【００４１】
図７は本発明の第３の実施形態のコネクタの要部を示す断面図で、図２中Ａ−Ａ線に相当する線に沿う断面図である。
【００４２】
この第３の実施形態のコネクタ１０″では、図７に示されるように、可撓性係止腕１７″上端に端子収容室１４の一部を覆う天井部１７ｄ″が一体形成されている。そして、可撓性係止腕１７″と天井部１７ｄ″との間に形成される端子収容空間内に端子３２の端子本体３２ａの上部側を収容自在にしてある。また、天井部１７ｄ″によって端子収容室１４全体が覆われていないことにより、端子本体３２ａの上部に折り曲げ等により突設された突起部３２ｅが収容自在になっている。また、他の構成は前記第１、第２の実施形態のコネクタ１０、１０′と同様であるので、同一構成部分には同一符号を付して詳細な説明を省略する。
【００４３】
以上第３の実施形態のコネクタ１０″によれば、可撓性係止腕１７″に天井部１７ｄ″を形成して、端子本体３２ａの上部に突設された突起部３２ｅを収容自在にしたので、可撓性係止腕１７″の係止部１８の係止面１８ｂで端子３２の係合部３２ｂを係止した際に、可撓性係止腕１７″と天井部１７ｄ″との間の端子収容空間内に端子３２の端子本体３２ａの上部側を完全に収容して確実に保持することができる。
【００４４】
これにより、端子収容室１４内に対する端子３２のガタ付きをより簡単かつ確実に抑えることができ、端子３２と相手側端子との接続信頼性をより一段と向上させることができる。
【００４５】
なお、前記各実施形態によれば、雌型の端子を収容するコネクタについて説明したが、雄型の端子を収容するコネクタに前記各実施形態を適用できることは勿論である。
【００４６】
【発明の効果】
請求項１記載の発明によれば、可撓性係止腕に突設された係止部で端子の係合部を係止した際に、可撓性係止腕が座屈しにくくなって、係止部による端子の保持力が向上する。また、１本の可撓性係止腕で係止部による端子の保持力を十分に備えているため、コネクタの端子間ピッチを縮めることができ、コネクタを小型化することができる。
【００４７】
請求項２記載の発明によれば、請求項１記載の発明の効果に加えて、比較的単純な構造であることで製造コストの増大を防止しつつ、可撓性係止腕に突設された係止部で端子の係合部を係止した際に、可撓性係止腕がより一層座屈しにくくなって、係止部による端子の保持力が向上する。
【００４８】
請求項３記載の発明によれば、可撓性係止腕に突設された係止部で端子の係合部を係止した際に、可撓性係止腕がより一層座屈しにくくなって、係止部による端子の保持力が向上する。
【００４９】
請求項４記載の発明によれば、係止部で端子の係合部を係止した際に、開口部内に端子の端子本体を保持して端子収容室内に対する端子のガタ付きが簡単かつ確実に抑えられ、端子と相手側端子との接続信頼性がより一段と向上する。
【００５０】
請求項５記載の発明によれば、係止部で端子の係合部を係止した際に、開口部内に端子の端子本体を確実に保持して端子収容室内に対する端子のガタ付きがより簡単かつ確実に抑えられ、端子と相手側端子との接続信頼性がより一段と向上する。
【００５１】
請求項６記載の発明によれば、係止部で端子の係合部を係止した際に、可撓部と天井部との間に端子の端子本体の上部側を保持して端子収容室内に対する端子のガタ付きが簡単かつ確実に抑えられ、端子と相手側端子との接続信頼性がより一段と向上する。
【００５２】
請求項７記載の発明によれば、係止部で端子の係合部を係止する際に、可撓部と天井部との間に端子の端子本体の上部側を確実に保持すると共に、天井部のスリット内に端子の端子本体の上部の突起部を確実に保持して端子収容室内に対する端子のガタ付きがより簡単かつ確実に抑えられ、端子と相手側端子との接続信頼性がより一段と向上する。
【００５３】
請求項８記載の発明によれば、１箇所の係合解除部を操作することで、係止部と端子の係合部との係合を解除することができるので、係合を解除する作業が簡略化されるとともに、解除用治具に配設される解除片も各端子収容室につき１本で済むため、解除用治具の構造が簡素化され、製造コストを低減することができる。
【図面の簡単な説明】
【図１】本発明の第１実施形態のコネクタの要部と電線を示す部分斜視図である。
【図２】第１実施形態の電線をコネクタに組付けた状態を示す部分斜視図である。
【図３】第１実施形態で解除用治具を用いて端子を取外す様子を示した部分斜視図である。
【図４】第１実施形態のコネクタを示す全体斜視図である。
【図５】図２のＡ−Ａ線に沿った要部断面図である。
【図６】第２実施形態の図２のＡ−Ａ線に相当する位置に沿った要部断面図である。
【図７】第３実施形態の図２のＡ−Ａ線に相当する位置に沿った要部断面図である。
【図８】従来のコネクタの要部断面図である。
【図９】上記従来のコネクタの可撓性係止腕の座屈状態を示す要部の断面図である。
【符号の説明】
１０　　コネクタ
１１　　コネクタハウジング
１２　　前端前壁（前端）
１３ｄ　一方の側壁部
１３ｄ′他方の側壁部
１４　　端子収容室
１７　　可撓性係止腕
１７ａ　可撓性係止腕の前端
１７ｂ　可撓性係止腕の後端
１８　　係止部
３２　　端子
３２ｂ　係合部
【図１】
2004055466.tif 000003
【図２】
2004055466.tif 000004
【図３】
2004055466.tif 000005
【図４】
2004055466.tif 000006
【図５】
2004055466.tif 000007
【図６】
2004055466.tif 000008
【図７】
2004055466.tif 000009
【図８】
2004055466.tif 000010
【図９】
2004055466.tif 000011